(57)【要約】【課題】編集の操作手順を少なくし、編集時に必要な再生動作が直ぐ出来るようにすること。【解決手段】制御部と、映像音声源と、符号化復号化部と、バッファメモリ部と、ＤＶＤ記録再生部から構成されるＤＶＤ記録再生装置であって、制御部は、録画キーが押下された時は録画処理を行い、再生キーが押下された時は再生処理を行うと共に編集処理を行い、メニューキーが押下された時は選択処理を行った後、再生処理を行うと共に編集処理を行うように制御し、前記編集処理は、編集用のキーが押下されると、再生処理を中断してそのキーに対応する編集処理を行い、編集処理が終了すると再生処理を再開する。【選択図】　　図１
2004147202.tif 000002
【特許請求の範囲】
【請求項１】
制御部と、映像音声源と、符号化復号化部と、バッファメモリ部と、ＤＶＤ記録再生部から構成されるＤＶＤ記録再生装置であって、
制御部は、録画キーが押下された時は録画処理を行い、再生キーが押下された時は再生処理を行うと共に編集処理を行い、メニューキーが押下された時は選択処理を行った後、再生処理を行うと共に編集処理を行うように制御し、
前記編集処理は、編集用のキーが押下されると、再生処理を中断してそのキーに対応する編集処理を行い、編集処理が終了すると再生処理を再開する、
ことを特徴とするＤＶＤ記録再生装置。
【請求項２】
請求項１に記載されたＤＶＤ記録再生装置において、
前記編集処理は、シーン消去処理、タイトル名変更処理、チャプターマーク追加処理、プレイリスト作成処理がふくまれる、
ことを特徴とするＤＶＤ記録再生装置。
【発明の詳細な説明】
【０００１】
【発明の属する技術分野】
本発明は、ＤＶＤに記録し再生するＤＶＤ記録再生装置に関し、特に映像・音声データ本体を編集する機能を有するＤＶＤ記録再生装置に関する。
【０００２】
【従来の技術】
記録技術の向上により、リムーバブルディスク記録媒体は、その記録容量が格段に大きくなり、又ビット当たりの記録単価も低下し、種々の用途に使用されている。例えば動画・音声を含むＡＶデータ信号を記録再生可能なＤＶＤは、映画や音楽ビデオやゲームソフト等の利用が見込まれている。このＤＶＤに記録された映像・音声データ本体（以下「タイトル」という。例えば、１時間ドラマ１本を１タイトルという）を編集して、ユーザに適したタイトルにするための編集機能を有するＤＶＤ記録再生装置は、従来から知られている。
【０００３】
このような編集機能を有するＤＶＤ記録再生装置を、図５〜図１２を用いて説明する。図５はＤＶＤ記録再生装置の従来例の構成を、図６はその動作のフローチャートを、図７はその選択処理動作のフローチャートを、図８はその編集処理動作のフローチャートを、図９はディスクナビ画面を、図１０は再生選択画面を、図１１は編集画面選択画面を、図１２は編集選択画面を、それぞれ示す図である。
【０００４】
図５において、ＤＶＤ記録再生装置は、制御部１と、映像音声源２と、符号化復号化部３と、バッファメモリ部４と、ＤＶＤ記録再生部５から構成されている。制御部１は、外部機器である操作装置（リモコン）又はＤＶＤ記録再生装置に設けられている操作部（図示しない）からの記録、再生、編集指令信号その他の各種操作指令信号を受けて、映像音声源２、符号化復号化部３、バッファメモリ部４、ＤＶＤ記録再生部５を制御する。映像音声源２は、動画・音声を含むＡＶデータ信号を発生するものであり、チューナや、直接又はネットワークシステムを介した外部の映像音声装置との間でＡＶデータ信号を送受信するインターフェースが想定される。符号化復号化部３は、映像音声源２から出力されたＡＶデータ信号をデジタル化し圧縮処理して符号化データとし、またＤＶＤ記録再生部５から再生した符号化データを伸張処理しアナログ化してＡＶデータとする。バッファメモリ部４は、符号化復号化部３に入出力される符号化データのデータ量の変動と、ＤＶＤ記録再生部５のＤＶＤ６への書き込み読み出し速度の変動とを吸収するために設けられたものであり、符号化復号化部３から出力される符号化データを一時的に記憶し、ＤＶＤ記録再生部５の書き込み速度に合わせてＤＶＤ記録再生部５に出力すると共に、ＤＶＤ記録再生部５から読み出される符号化データを一時的に記憶し、符号化復号化部３の符号化データのデータ量の変動に合わせて符号化復号化部３に出力する。ＤＶＤ記録再生部５は、符号化データをＤＶＤ６に記録し、またＤＶＤ６から読み出し再生する。
【０００５】
ＤＶＤ記録再生装置の従来の動作を、図６に示すフローチャートを用いて説明する。
【０００６】
制御部１は、ステップＳ６１において、モードキーが押下されるのを待ち、モードキーが押下されるとどのモードキーが押下されたかを判断し（ステップＳ６２）、録画キーが押下された時は録画モードと判断して録画処理を行い（ステップＳ６３）、再生キーが押下された時は再生モードと判断して再生処理を行い（ステップＳ６４）、編集キーが押下された時は編集モードと判断して編集処理を行い（ステップＳ６５）、メニューキーが押下された時は選択再生モードと判断して選択処理を行った（ステップＳ６６）後、再生処理を行う（ステップＳ６４）。なお、ステップＳ６３の録画処理とステップＳ６４の再生処理は周知であるので、説明は省略する。
【０００７】
ステップＳ６６の選択処理は、図７に示すように、制御部１が、ステップＳ７１において、図９に示すディスクナビの画面を表示する。ディスクナビの画面には、タイトル画面がタイトル番号順に表示され、選択されているサムネール（タイトル番号１）が反転表示されている。その下にはタイトル名が表示される。ユーザが、操作装置の上下左右キーを用いて再生したいタイトル、例えばタイトル番号２を選択する（ステップＳ７２）と、図１０に示すように、タイトル番号２のサムネールが反転表示され、タイトル番号１のサムネールは元に戻る（ステップＳ７３）。その結果、選択したタイトルが何かが画面上に明示される。そこで、決定キーを押下する（ステップＳ７４）と選択処理は終了し、タイトル番号２のタイトルの再生処理に進む。
【０００８】
ステップＳ６５の編集処理は、図８に示すように、制御部１が、ステップＳ８１において、図１１に示す編集（ＯＲ）時のタイトル選択画面を表示する。図１１は、図９の画面名「ディスクナビ」が「編集（ＯＲ）」に変わっただけである。次に、プレイリスト作成キーが押下されたか否かを判断し（ステップＳ８２）、押下された時はステップＳ８９に進んで、プレイリスト作成処理を行う。ここで、プレイリストとは、各タイトル、各シーン（１タイトル中の１カット）の再生順序を登録したものである。プレイリスト作成キーが押下されない時は、ユーザが、操作装置の上下左右キーを用いて編集したいタイトルを選択するのを待つ（ステップＳ８３）。タイトルが選択されると、図１２に示す編集選択画面を表示する（ステップＳ８４）。ユーザは、操作装置の上下キーを用いて、「シーン消去」、「タイトル名変更」、「チャプターマーク追加」その他の編集の１つを選択して、決定キーを押下する。制御部１は、ステップＳ８５において、何の編集が選択されたかを判断し、「シーン消去」が選択された時はシーン消去処理を行い（ステップＳ８６）、「タイトル名変更」が選択された時はタイトル名変更処理を行い（ステップＳ８７）、「チャプターマーク追加」が選択された時はチャプターマーク追加処理を行い（ステップＳ８８）、編集処理を終了する。ここで、「シーン消去」とは、タイトル中の不要なカット、例えばＣＭのシーンを消去することであり、タイトルを選択し再生しながら消去したいシーンの始めと終わりにマーキングして行う。「タイトル名変更」とは、タイトル毎に付けられている名前を変更することであり、タイトルを選択し、図１２の編集選択画面中の「タイトル名変更」を選択し、表示されているタイトル名の文字をカーソルキーで選んで変更する。「チャプターマーク追加」とは、タイトルにチャプターマークを追加することであり、タイトルを選択し再生しながら必要箇所にチャプターマークを付加する。
【０００９】
【発明が解決しようとする課題】
以上述べた編集は、再生中には行えず、一旦再生を終了してから、編集モードに入る必要があり、編集するのに必要な操作手順が多い。そのため、再生モードや録画モードが多く選択されるのに比べて、ユーザがなかなか編集モードを選択せず、編集の機能が使用されないという問題があった。
【００１０】
本発明は、以上述べた従来技術の問題点に鑑みてなされたものであり、編集の操作手順が少なくて済み、且つ編集時に必要な再生動作が直ぐ出来るようにすることを目的とする。
【００１１】
【課題を解決するための手段】
上記目的を達成するために、
請求項１の記載に係る発明は、
制御部と、映像音声源と、符号化復号化部と、バッファメモリ部と、ＤＶＤ記録再生部から構成されるＤＶＤ記録再生装置であって、
制御部は、録画キーが押下された時は録画処理を行い、再生キーが押下された時は再生処理を行うと共に編集処理を行い、メニューキーが押下された時は選択処理を行った後、再生処理を行うと共に編集処理を行うように制御し、
前記編集処理は、編集用のキーが押下されると、再生処理を中断してそのキーに対応する編集処理を行い、編集処理が終了すると再生処理を再開する、
ことを特徴とする。
【００１２】
請求項２の記載に係る発明は、
請求項１に記載されたＤＶＤ記録再生装置において、
前記編集処理は、シーン消去処理、タイトル名変更処理、チャプターマーク追加処理、プレイリスト作成処理がふくまれる、
ことを特徴とする。
【００１３】
【発明の実施の形態】
以下、本発明のＤＶＤ記録再生装置の実施例について図１〜図４を用いて説明する。図１は本発明のＤＶＤ記録再生装置の構成を、図２はその動作のフローチャートを、図３はその編集処理動作のフローチャート（１）を、図４はその編集処理動作のフローチャート（２）を、それぞれ示す図である。
【００１４】
本発明のＤＶＤ記録再生装置は、従来例のＤＶＤ記録再生装置において、制御部１に代えて図２〜図４に示す処理フローの制御を行う制御部７を設けると共に、操作装置（リモコン）又は操作部に、編集用のシーン消去キー、タイトル名変更キー、チャプターマーク追加キー、プレイリスト作成キー、その他の編集キーを付設してなるものである。図１において、ＤＶＤ記録再生装置は、制御部７と、映像音声源２と、符号化復号化部３と、バッファメモリ部４と、ＤＶＤ記録再生部５から構成されている。
【００１５】
図２において、制御部７は、ステップＳ２１において、モードキーが押下されるのを待ち、モードキーが押下されるとどのモードキーが押下されたかを判断し（ステップＳ２２）、録画キーが押下された時は録画モードと判断して録画処理を行い（ステップＳ２３）、再生キーが押下された時は再生モードと判断して再生処理を行う（ステップＳ２４）と共に、図３に示すフローチャートの編集処理を行い（ステップＳ２６）、メニューキーが押下された時は選択再生モードと判断して選択処理を行った（ステップＳ２５）後、再生処理を行う（ステップＳ２４）と共に編集処理を行う（ステップＳ２６）。即ち、再生処理を行う際に、本発明の編集処理を並行して行うようにしている。
【００１６】
ステップＳ２６の編集処理は、図３、図４に示すように、制御部７が、ステップＳ３１において、プレイリスト作成キーが押下されたか否かを判断し、押下された時はステップＳ５０に進む。プレイリスト作成キーが押下されないと判断した時は、ステップＳ３２〜ステップＳ３４に進んで、チャプターマーク追加キー、タイトル名変更キー、シーン消去キー、が押下されたか否かを判断し、押下された時はステップＳ４７、ステップＳ４４、ステップＳ４１に進む。
【００１７】
ステップＳ４１、ステップＳ４４、ステップＳ４７、ステップＳ５０では、制御部７のＣＰＵに割り込みを掛けて、動作中の再生処理を中断し、続くステップＳ４２、ステップＳ４５、ステップＳ４８、ステップＳ５１で、シーン消去処理、タイトル名変更処理、チャプターマーク追加処理、プレイリスト作成処理を行う。これらの処理が終了したら、ステップＳ４３、ステップＳ４６、ステップＳ４９、ステップＳ５２で、制御部７のＣＰＵに掛けた割り込みを終了して、再生処理を再開し、ステップＳ３１に戻ってステップＳ３１からの処理を繰り返す。編集用の前記キー（シーン消去キー、タイトル名変更キー、チャプターマーク追加キー、プレイリスト作成キー、その他の編集キー）が何れも押下されないで、ステップＳ３５において、ステップＳ２４の再生処理が終了したと判断した時は、この編集処理を終了する。
【００１８】
なお、編集の種類を増やす場合は、図３のステップＳ３１とステップＳ３２の間に点線で示した処理を挿入すれば良い。また、編集用の前記キー（シーン消去キー、タイトル名変更キー、チャプターマーク追加キー、プレイリスト作成キー、その他の編集キー）は、付設する代わりに、既設のキーを用い且つ何らかの条件で押下するようにしても良い。
【００１９】
本発明のＤＶＤ記録再生装置は、従来例のように一旦編集モードに入って図１１に示す編集（ＯＲ）の画面を表示してから編集種類を選択するのでなく、再生モード中に編集用の前記キーが押下された時は、ＣＰＵに割り込んで再生処理を中断させ所望の編集処理を行い、その際再生動作が必要であれば再生させ、所望の編集処理が終了したら中断させた再生処理を再開させるようにしたので、編集の操作手順が少なくて済み、且つ編集時に必要な再生動作が直ぐ出来る。
【００２０】
【発明の効果】
以上述べたように、本発明は、編集の操作手順が少なくて済み、且つ編集時に必要な再生動作が直ぐ出来る効果がある。
【図面の簡単な説明】
【図１】本発明のＤＶＤ記録再生装置の構成を示す図である。
【図２】本発明のＤＶＤ記録再生装置の動作のフローチャートを示す図である。
【図３】本発明の編集処理動作のフローチャート（１）を示す図である。
【図４】本発明の編集処理動作のフローチャート（２）を示す図である。
【図５】ＤＶＤ記録再生装置の従来例の構成を示す図である。
【図６】ＤＶＤ記録再生装置の従来例の動作のフローチャートを示す図である。
【図７】従来例の選択処理動作のフローチャートを示す図である。
【図８】従来例の編集処理動作のフローチャートを示す図である。
【図９】従来例のディスクナビ画面を示す図である。
【図１０】従来例の再生選択画面を示す図である。
【図１１】従来例の編集画面選択画面を示す図である。
【図１２】従来例の編集選択画面を示す図である。
【符号の説明】
１　制御部
２　映像音声源
３　符号化復号化部
４　バッファメモリ部
５　ＤＶＤ記録再生部
６　ＤＶＤ
７　制御部
【図１】
2004147202.tif 000003
【図２】
2004147202.tif 000004
【図３】
2004147202.tif 000005
【図４】
2004147202.tif 000006
【図５】
2004147202.tif 000007
【図６】
2004147202.tif 000008
【図７】
2004147202.tif 000009
【図８】
2004147202.tif 000010
【図９】
2004147202.tif 000011
【図１０】
2004147202.tif 000012
【図１１】
2004147202.tif 000013
【図１２】
2004147202.tif 000014